(57)【要約】【課題】キャスタとは別個に設けて構成簡単にして安価であり、かつ汎用性のあるキャスタの旋回規制部材を提供する。【解決手段】旋回自在なキャスタ２０を取り付ける角パイプや丸パイプなどの足（構造部材）２７に掛ける掛止部４１と、足に取り付けて設ける段付きねじ（係合部材）４２に係合して位置決めする例えば孔形状の位置決め部４３と、キャスタの旋回を規制してキャスタを一定方向にのみ走行可能とする例えば板状の規制部４４とを一体的に形成するキャスタ２０の旋回規制部材４０である。規制部４４には、キャスタ２０と接触してその旋回を規制する規制凸部を、例えば半球状に突出して形成するとよい。【選択図】図４
2007216699.tif 000002
【特許請求の範囲】
【請求項１】
旋回自在なキャスタを取り付ける構造部材に掛ける掛止部と、前記構造部材に一体に設ける係合部または前記構造部材に取り付けて設ける係合部材に係合して位置決めする位置決め部と、前記キャスタの旋回を規制して前記キャスタを一定方向にのみ走行可能とする規制部とを一体的に形成することを特徴とする、キャスタの旋回規制部材。
【請求項２】
前記キャスタと接触してその旋回を規制する規制凸部を前記規制部に形成することを特徴とする、請求項１に記載のキャスタの旋回規制部材。
【請求項３】
請求項１または２に記載のキャスタの旋回規制部材を用いて前記キャスタの旋回を規制することを特徴とする、キャスタの旋回規制装置。
【請求項４】
旋回自在なキャスタを取り付ける構造部材に掛ける掛止部と、前記構造部材に一体に設ける係合部または前記構造部材に取り付けて設ける係合部材に係合して位置決めする位置決め部と、規制部材支持部とを一体的に形成する旋回規制板を備え、前記規制部材支持部で、前記キャスタの旋回を規制して前記キャスタを一定方向にのみ走行可能とする規制部材を支持することを特徴とする、キャスタの旋回規制装置。
【請求項５】
前記規制部材として、前記規制部材支持部にねじ付けて出し入れ調整可能に調整ねじを備えることを特徴とする、請求項４に記載のキャスタの旋回規制装置。
【請求項６】
前記規制部材として、前記規制部材支持部に取り付けて付勢ばねを備えることを特徴とする、請求項４に記載のキャスタの旋回規制装置。
【請求項７】
前記規制部材として、前記規制部材支持部に取り付けて規制板とその規制板の規制位置を調整する調整ねじとを備えることを特徴とする、請求項４に記載のキャスタの旋回規制装置。
【請求項８】
前記規制部材として、前記規制部材支持部に取り付けて規制板とその規制板を付勢する付勢ばねとを備えることを特徴とする、請求項４に記載のキャスタの旋回規制装置。
【請求項９】
前記キャスタと接触してその旋回を規制する規制凸部を前記規制板に形成することを特徴とする、請求項７または８に記載のキャスタの旋回規制装置。
【請求項１０】
キャスタの旋回規制部材に位置決め部および規制部とともに一体的に形成する掛止部を、旋回自在なキャスタを取り付ける構造部材に掛けて、その構造部材に一体に設ける係合部または前記構造部材に取り付けて設ける係合部材に前記位置決め部を係合して位置決めし、前記キャスタの旋回を前記規制部で直接規制して前記キャスタを一定方向にのみ走行可能とすることを特徴とする、キャスタの旋回規制方法。
【請求項１１】
キャスタの旋回規制板に位置決め部および規制部材支持部とともに一体的に形成する掛止部を、旋回自在なキャスタを取り付ける構造部材に掛けて、その構造部材に一体に設ける係合部または前記構造部材に取り付けて設ける係合部材に前記位置決め部を係合して位置決めし、前記規制部材支持部で支持する規制部材により前記キャスタの旋回を規制して前記キャスタを一定方向にのみ走行可能とすることを特徴とする、キャスタの旋回規制方法。
【発明の詳細な説明】
【技術分野】
【０００１】
この発明は、プリンタ、複写機、ファクシミリまたはそれらの複合機などの画像形成装置に取り付けて、それから排出される画像記録済みの記録材に後処理を施す後処理装置などにおいて、キャスタの旋回を規制してその後処理装置などを一定方向にのみ移動可能とするキャスタの旋回規制部材、旋回規制装置、および旋回規制方法に関する。
【背景技術】
【０００２】
従来、画像形成装置やその後処理装置などでは、旋回自在なキャスタを備えて全方位に自由に移動可能とし、設置後は簡単に移動しないようにロック機構でロックしてキャスタの回転を規制していた。
【０００３】
ところが、後処理装置などでは、設置後において、用紙ジャムが発生したときなど、画像形成装置から取り外してジャム紙を除去する必要がある。このようなときのため、キャスタの旋回規制装置を備え、キャスタの旋回を規制して後処理装置などを一定方向にのみ移動可能とすることが行われている。
【０００４】
従来、キャスタの旋回規制装置には、キャスタ自体に旋回を規制する機構を設けるものと、キャスタとは別個に旋回を規制する機構を独立して設けるものとがあった。
【０００５】
【特許文献１】特許第２８１１２７２号公報
【発明の開示】
【発明が解決しようとする課題】
【０００６】
しかしながら、キャスタ自体に旋回を規制する機構を設けるものでは、キャスタの構成が複雑となって、キャスタが高価となる問題があった。他方、キャスタとは別個に旋回を規制する機構を独立して設けるものでは、そのキャスタ専用のものとなってしまい汎用性に乏しかった。
【０００７】
そこで、この発明の第１の目的は、キャスタとは別個に設けて構成簡単にして安価であり、かつ汎用性のあるキャスタの旋回規制部材を提供することにある。
【０００８】
この発明の第２の目的は、キャスタの旋回を規制しながら、キャスタを一定方向に走行するときの車輪の回転抵抗を少なくして、後処理装置などの移動を容易とするキャスタの旋回規制部材を提供することにある。
【０００９】
この発明の第３の目的は、旋回規制部材をキャスタとは別個に設けて構成簡単にして安価であり、かつ汎用性のあるキャスタの旋回規制装置を提供することにある。
【００１０】
この発明の第４の目的は、旋回規制部材をキャスタとは別個に設けて構成簡単にして安価であり、かつ汎用性があり、しかも専用の規制部材でキャスタの旋回を確実に規制するキャスタの旋回規制装置を提供することにある。
【００１１】
この発明の第５の目的は、調整可能にキャスタの旋回を規制しながら、キャスタを一定方向に走行するときの車輪の回転抵抗を少なくして、後処理装置などの移動を容易とするキャスタの旋回規制装置を提供することにある。
【００１２】
この発明の第６の目的は、キャスタの旋回をやわらかく規制するキャスタの旋回規制装置を提供することにある。
【００１３】
この発明の第７の目的は、車輪幅の大小に左右されずかつ調整可能に、キャスタの旋回を規制するキャスタの旋回規制装置を提供することにある。
【００１４】
この発明の第８の目的は、車輪幅の大小に左右されずに、キャスタの旋回をやわらかく規制するキャスタの旋回規制装置を提供することにある。
【００１５】
この発明の第９の目的は、車輪幅の大小に左右されずにキャスタの旋回を規制しながら、キャスタを一定方向に走行するときの車輪の回転抵抗を少なくして、後処理装置などの移動を容易とするキャスタの旋回規制部材を提供することにある。
【００１６】
この発明の第１０の目的は、安価で、汎用性があるキャスタの旋回規制方法を提供することにある。
【００１７】
この発明の第１１の目的は、安価で、かつ汎用性があり、専用の規制部材を用いてキャスタの旋回を確実に規制する旋回規制方法を提供することにある。
【課題を解決するための手段】
【００１８】
この発明の第１の態様は、キャスタの旋回規制部材であって、旋回自在なキャスタを取り付ける角パイプや丸パイプなどの構造部材に掛ける掛止部と、構造部材に一体に設ける係合部または構造部材に取り付けて設ける係合部材に係合して位置決めする例えば孔形状の位置決め部と、キャスタの旋回を規制してキャスタを一定方向にのみ走行可能とする例えば板状の規制部とを一体的に形成するものである。規制部には、キャスタと接触してその旋回を規制する規制凸部を例えば半球状に突出して形成するとよい。
【００１９】
この発明の第２の態様は、キャスタの旋回規制装置であって、第１の態様のキャスタの旋回規制部材を用いてキャスタの旋回を規制するものである。
【００２０】
この発明の第３の態様は、同じくキャスタの旋回規制装置であって、旋回自在なキャスタを取り付ける角パイプや丸パイプなどの構造部材に掛ける掛止部と、構造部材に一体に設ける係合部または構造部材に取り付けて設ける係合部材に係合して位置決めする例えば孔形状の位置決め部と、例えば板状の規制部材支持部とを一体的に形成する旋回規制板を備え、規制部材支持部で、キャスタの旋回を規制してキャスタを一定方向にのみ走行可能とする規制部材を支持するものである。
【００２１】
規制部材としては、例えば、規制部材支持部にねじ付けて出し入れ調整可能に調整ねじを備えたり、規制部材支持部に取り付けて付勢ばねを備えたり、規制部材支持部に取り付けて規制板とその規制板の規制位置を調整する調整ねじとを備えたり、また規制部材支持部に取り付けて規制板とその規制板を付勢する付勢ばねとを備えたりするとよい。規制板には、キャスタと接触してその旋回を規制する規制凸部を例えば半球状に突出して形成するとよい。
【００２２】
この発明の第４の態様は、キャスタの旋回規制方法であって、キャスタの旋回規制部材に位置決め部および規制部とともに一体的に形成する掛止部を、旋回自在なキャスタを取り付ける角パイプや丸パイプなどの構造部材に掛けて、その構造部材に一体に設けるダボなどの係合部または構造部材に取り付けて設ける段付きねじなどの係合部材に例えば孔形状の位置決め部を係合して位置決めし、キャスタの旋回を例えば板状の規制部で直接規制してキャスタを一定方向にのみ走行可能とするものである。
【００２３】
この発明の第５の態様は、同じくキャスタの旋回規制方法であって、キャスタの旋回規制板に位置決め部および規制部材支持部とともに一体的に形成する掛止部を、旋回自在なキャスタを取り付ける角パイプや丸パイプなどの構造部材に掛けて、その構造部材に一体に設けるダボなどの係合部または構造部材に取り付けて設ける段付きねじなどの係合部材に例えば孔形状の位置決め部を係合して位置決めし、例えば板状の規制部材支持部で支持する規制部材によりキャスタの旋回を規制してキャスタを一定方向にのみ走行可能とするものである。
【発明の効果】
【００２４】
この発明の第１態様によれば、キャスタの旋回規制部材を、旋回自在なキャスタを取り付ける構造部材に掛ける掛止部と、構造部材に一体に設ける係合部または構造部材に取り付けて設ける係合部材に係合して位置決めする位置決め部と、キャスタの旋回を規制してキャスタを一定方向にのみ走行可能とする規制部とを一体的に形成するので、キャスタとは別個に設けて構成簡単にして安価である。
【００２５】
また、そのようなキャスタの旋回規制部材の掛止部を構造部材に掛けて、その構造部材の係合部または係合部材に位置決め部を係合して位置決めし、キャスタの旋回を規制部で直接規制するので、キャスタの種類に関係なく、キャスタの旋回を規制してキャスタを一定方向にのみ走行可能とすることができ、汎用性のあるキャスタの旋回規制部材を提供することができる。さらに、旋回規制部材を外せば、簡単にキャスタの旋回規制を解除することができる。
【００２６】
規制部に、キャスタと接触してその旋回を規制する規制凸部を形成すると、キャスタと接触する面積を少なくしてキャスタを一定方向に走行するときの車輪の回転抵抗を少なくし、キャスタの旋回を規制しながら、後処理装置などの移動を容易とするキャスタの旋回規制部材を提供することができる。
【００２７】
この発明の第２態様によれば、第１の態様のキャスタの旋回規制部材を用いてキャスタの旋回を規制するキャスタの旋回規制装置であるので、旋回規制部材をキャスタとは別個に設けて構成簡単にして安価であり、かつ汎用性のあるキャスタの旋回規制装置を提供することができる。
【００２８】
この発明の第３態様によれば、キャスタの旋回規制装置であって、旋回自在なキャスタを取り付ける構造部材に掛ける掛止部と、構造部材に一体に設ける係合部または構造部材に取り付けて設ける係合部材に係合して位置決めする位置決め部と、規制部材支持部とを一体的に形成する旋回規制板を備え、そのような旋回規制板の規制部材支持部で、キャスタの旋回を規制してキャスタを一定方向にのみ走行可能とする規制部材を支持するので、旋回規制板をキャスタとは別個に設けて構成簡単にして安価であり、かつ汎用性があり、しかも専用の規制部材でキャスタの旋回を確実に規制するキャスタの旋回規制装置を提供することができる。さらに、旋回規制板を外せば、簡単にキャスタの旋回規制を解除することができる。
【００２９】
ここで、規制部材として、規制部材支持部にねじ付けて出し入れ調整可能に調整ねじを備えると、調整可能にキャスタの旋回を規制しながら、キャスタを一定方向に走行するときの車輪の回転抵抗を少なくして、後処理装置などの移動を容易とするキャスタの旋回規制装置を提供することができる。
【００３０】
規制部材として、規制部材支持部に取り付けて付勢ばねを備えると、付勢ばねにより弾性的に制限してキャスタの旋回をやわらかく規制するキャスタの旋回規制装置を提供することができる。
【００３１】
規制部材として、規制部材支持部に取り付けて、規制板とその規制板の規制位置を調整する調整ねじとを備えると、規制板により車輪幅の大小に左右されず、かつ調整ねじにより調整可能に、キャスタの旋回を規制するキャスタの旋回規制装置を提供することができる。
【００３２】
また規制部材として、規制部材支持部に取り付けて、規制板とその規制板を付勢する付勢ばねとを備えると、規制板により車輪幅の大小に左右されず、付勢ばねにより弾性的に制限してキャスタの旋回をやわらかく規制するキャスタの旋回規制部材を提供することができる。
【００３３】
規制板に、キャスタと接触してその旋回を規制する規制凸部を形成すると、車輪幅の大小に左右されずにキャスタの旋回を規制しながら、キャスタを一定方向に走行するときの車輪の回転抵抗を少なくして、後処理装置などの移動を容易とするキャスタの旋回規制部材を提供することができる。
【００３４】
この発明の第４態様によれば、キャスタの旋回規制部材の掛止部を構造部材に掛けて、その構造部材の係合部または係合部材に位置決め部を係合して位置決めし、キャスタの旋回を規制部で直接規制するので、構成簡単にして安価な旋回規制部材を用い、キャスタの種類に関係なくキャスタの旋回を規制してキャスタを一定方向にのみ走行可能とする、汎用性のあるキャスタの旋回規制部材を提供することができる。反対に、旋回規制部材を外せば、簡単にキャスタの旋回規制を解除することができる。
【００３５】
この発明の第５態様によれば、キャスタの旋回規制板の掛止部を構造部材に掛けて、その構造部材の係合部または係合部材に位置決め部を係合して位置決めし、規制部材支持部で支持する規制部材によりキャスタの旋回を規制するので、構成簡単にして安価な旋回規制板を用い、キャスタの種類に関係なく専用の規制部材を用いてキャスタの旋回を確実に規制してキャスタを一定方向にのみ走行可能とする、汎用性のあるキャスタの旋回規制部材を提供することができる。反対に、旋回規制板を外せば、簡単にキャスタの旋回規制を解除することができる。
【発明を実施するための最良の形態】
【００３６】
以下、図面を参照しつつ、この発明の実施の最良形態につき説明する。
図１には、後処理装置を取り付けたインクジェット式画像形成装置の要部概略構成を示す。
【００３７】
図中符号１００は、高速で搬送しながらインクジェット方式により用紙・ＯＨＰフィルム等の記録材に画像を記録する画像形成装置であり、符号２００は、その画像形成装置１００に取り付けて、それから排出される画像記録済みの記録材に後処理を行う後処理装置である。
【００３８】
図示画像形成装置１００は、その画像形成部１０に、複数のローラ１１間に走行ベルト１２を掛けまわす記録材搬送手段１３、ファン１４をまわして矢示方向ａに風を発生する記録材吸着手段１５、複数のノズルから選択的にインクを噴射するインクジェットヘッド１６などを備え、キャスタ１７を介して設置面上に載置し、必要に応じて適宜移動可能とする。
【００３９】
そして、ホスト機器からのプリント信号を受けて、不図示の記録材収納カセットから記録材を繰り出して画像形成部１０に送り込み、記録材搬送手段１３の走行ベルト１２上に載せて記録材吸着手段１５で吸引して記録材ｐを走行ベルト１２に吸着し、ローラ１１の回転にともなう走行ベルト１２の走行とともに矢示方向ｂに搬送する一方、インクジェットヘッド１６のノズルからインクを噴射してその搬送する記録材ｐに文字・図形等の画像を記録する。画像記録後の記録材ｐは、記録材排出口１８から後処理装置２００に送り出す。
【００４０】
後処理装置２００は、キャスタ２０付きスタンド２１で支持して画像形成装置１００の記録材排出口１８位置に取り付ける。スタンド２１は、角パイプを横にして形成した一対の足２７上に各々、角パイプで形成した支柱２８を立てて互いに連結して構成する。そして、一対の足２７の両端部の下に、旋回自在なキャスタ２０を取り付けてなる。これにより、後処理装置２００を全方位に自由に移動可能とし、キャスタ２０で任意の位置に設置可能とする。
【００４１】
図２には、後処理装置２００の内部機構の全体概略構成を示す。
図示するように、後処理装置２００には、画像形成装置１００から送り出された画像記録後の記録材ｐを受け入れて搬送する記録材搬送装置Ａ、ニップ搬送で搬送速度を速めて記録材ｐをｄ方向に排出する記録材排出手段Ｂ、その記録材排出手段Ｂで排出した記録材ｐを受けて排出記録材ｐを積載する排出記録材受けＣ、その排出記録材受けＣを記録材排出方向と直交する方向にシフトして排出記録材ｐを仕分けする記録材仕分け手段Ｄ、排出記録材受けＣ上の排出記録材ｐの積載高さに応じて排出記録材受けＣを上下動する受け昇降手段Ｅなどを備える。
【００４２】
記録材搬送装置Ａには、画像形成装置１００から送り出された画像記録後の記録材ｐを受け入れ画像面を上にした状態で走行ベルト２３上に載せて搬送する記録材搬送手段２４と、画像記録後の記録材ｐを走行ベルト２３上に吸着する記録材吸着手段２５とを備えてなる。
【００４３】
ところで、このような後処理装置付きの画像形成装置にあっては、画像形成装置１００のキャスタ１７や後処理装置２００のキャスタ２０を旋回自在として全方位に自由に移動自在とし、設置後は、簡単に移動することがないようにキャスタ１７・２０の車輪の回転をロックできるようにすることが望ましい。
【００４４】
しかしながら、この種の後処理装置付き画像形成装置では、記録材ｐの搬送ジャムを発生することがあり、そのような場合には、画像形成装置１００から後処理装置２００を引き離し、ジャムした記録材を除去することが必要とされるときもある。
図３には、画像形成装置１００から後処理装置２００を矢示方向ｅに引き離した状態を示す。
【００４５】
後処理装置２００は、このように、設置後は簡単に移動しないように、しかし、ジャム処理時には画像形成装置１００から容易に引き離すことができるように、キャスタ２０の旋回を規制してキャスタ２０を一定方向ｅにのみ走行可能とすることが好ましい。このため、この発明では、設置後に、スタンド２１にキャスタ２０の旋回規制部材４０を取り付けるようにする。
【００４６】
図４には、旋回自在なキャスタ２０を取り付ける構造部材であるスタンド２１の足２７に、キャスタ２０の旋回規制部材４０を取り付けた状態を示す。図５には、その旋回規制部材４０を斜め上から見て示す。
【００４７】
旋回規制部材４０は、板金材料を例えばプレス加工でコ字型に折り曲げてなり、図５に示すように、コ字型の掛止部４１と、その掛止部４１から連続して設ける対向する一対の板状の規制部４４と、それら掛止部４１から規制部４４にかけてあける孔形状の位置決め部４３とを一体的に形成する。
【００４８】
段付きねじ４２は、足２７にねじ付けることにより取り付けて設ける。位置決め部４３は、その段付きねじ４２の頭部が通過する大きめの長孔４３ａと、その長孔４３ａから上向きに連続して設けるスリット状の細孔４３ｂとで構成する。細孔４３ｂは、段付きねじ４２のねじ径部が緩みなくはまり込む幅とする。
【００４９】
そして、この旋回規制部材４０を取り付けるときは、足２７に上から被せて段付きねじ４２の頭部を長孔４３ａに入れ、段付きねじ４２のねじ径部を細孔４３ｂに導き、図４に示すように掛止部４１を足２７に掛けて、段付きねじ４２に位置決め部４３を係合して位置決めする。
【００５０】
図６（Ａ）には図４の状態を足２７の長さ方向から、（Ｂ）にはそれと直交する方向から見て示す。
旋回規制部材４０を取り付けたときには、図６（Ａ）および（Ｂ）から判るとおり、キャスタ２０を一対の規制部４４で両側から挟んでキャスタ２０の旋回を規制部４４の板面で直接規制し、キャスタ２０が偏心軸４５を中心として図６（Ｂ）に示す実線状態から旋回することを阻止し、キャスタ２０を一定方向（足２７の長さ方向）にのみ走行可能とする。
【００５１】
図示例では、例えばＭ４の大きさの段付きねじ４２を用いるとき、その段付きねじ４２を保持できるように旋回規制部材４０の板厚は、３ｍｍ以上とする必要がある。なお、位置決め部４３を、構造部材であるキャスタ２０の足２７に取り付けて設ける段付きねじ４２に係合したが、構造部材に取り付けて設ける係合部材に限らず、構造部材自体に一体に突出して設けるダボなどの係合部に係合して位置決めするようにしてもよい。
【００５２】
図７には、他例である旋回規制部材４０を用いた、図６（Ａ）に示すと同様なキャスタの旋回規制装置を示す。
図示するように、旋回規制部材４０をプレス加工で形成するとき、同時に一対の規制部４４の対向する位置に向かい合わせに、半球状に突出して規制凸部４６を形成するとよい。そして、その旋回規制部材４０を足２７に取り付けたとき、規制凸部４６がキャスタ２０の車輪の回転中心に向かうようにする。このようにすると、規制部４４がキャスタ２０と接触する面積を少なくしてキャスタ２０を一定方向に走行するときの車輪の回転抵抗を少なくし、キャスタ２０の旋回を規制しながら、後処理装置２００の移動を容易とすることができる。
【００５３】
図８には、キャスタの旋回規制装置の他例を示す。
この例では、板金材料を、例えばプレス加工でコ字型に折り曲げてなる旋回規制板５０を用いる。図示するように、旋回規制板５０には、コ字型の掛止部５１と、その掛止部５１から連続して設ける対向する一対の板状の規制部材支持部５２と、図示省略するが、前述した位置決め部４３と同様に掛止部５１から規制部材支持部５２にかけてあける孔形状の位置決め部とを一体的に形成する。規制部材支持部５２には、外側からねじ付けて出し入れ調整可能に調整ねじ５３を備える。
【００５４】
位置決め部は、同様に、段付きねじ４２の頭部が通過する大きめの長孔と、その長孔から上向きに連続して設けるスリット状の細孔とで構成する。そして、細孔は、段付きねじ４２のねじ径部が緩みなくはまり込む幅とする。
【００５５】
そして、この旋回規制板５０を取り付けるときは、同じように、足２７に上から被せて段付きねじ４２の頭部を長孔に入れ、段付きねじ４２のねじ径部を細孔に導き、図８に示すように掛止部５１を足２７に掛けて、段付きねじ４２に位置決め部を係合して位置決めし、調整ねじ５３の先端をキャスタ２０の車輪の回転中心に向けてそれら先端間で両側から挟んでキャスタ２０の旋回を規制し、キャスタ２０を一定方向（足２７の長さ方向）にのみ走行可能とする。
【００５６】
このようにすると、調整ねじ５３で調整可能にキャスタ２０の旋回を規制しながら、その調整ねじ５３の先端をキャスタ２０の車輪の回転中心に当てて、キャスタ２０を一定方向（足２７の長さ方向）に走行するときの車輪の回転負荷を少なくし、後処理装置などの移動を容易とすることができる。
【００５７】
図９には、キャスタの旋回規制装置のさらに他例を示す。
この例では、旋回規制板５０の規制部材支持部５２にねじ付けて出し入れ調整可能に備える調整ねじ５３に代えて、規制部材支持部５２に取り付けて付勢ばね５４を備える。このようにすると、付勢ばね５４により弾性的に制限してキャスタ２０の旋回をやわらかく規制することができる。
【００５８】
図１０には、キャスタの旋回規制装置のまたさらに他例を示す。
この例では、旋回規制板５０の規制部材支持部５２で支持する規制部材として、規制部材支持部５２に取り付けて、規制板５５と、その規制板５５の規制位置を調整する調整ねじ５６とを備える。
【００５９】
規制板５５は、平板状のベース板５７と、その表面に貼り付ける弾性体５８と、ベース板５７の裏面に立てた複数のピン５９とで構成し、複数のピン５９をそれぞれ内側から規制部材支持部５２の孔に出し入れ自在に挿入して平行移動可能に取り付けてなる。他方、調整ねじ５６は、外側から弾性部材支持部５２に出し入れ調整自在にねじ付け、先端をベース板５７の裏面に接触している。
【００６０】
このようにすると、規制板５５の弾性体５８により車輪幅の大小に左右されず、かつ調整ねじ５６により調整可能に、キャスタ２０の旋回を規制することができる。
【００６１】
図１１には、キャスタの旋回規制装置のまたさらに他例を示す。
この例では、旋回規制板５０の規制部材支持部５２で支持する規制部材として、規制部材支持部５２に取り付けて、規制板６０と、その規制板５５を付勢する付勢ばね６１とを備える。
【００６２】
規制板６０は、平板６２と、その裏面に立てた複数のピン６３と、抜け止め部材６４とで構成し、各ピン６３のまわりに付勢ばね６１を取り付けてから、複数のピン６３をそれぞれ内側から規制部材支持部５２の孔に出し入れ自在に挿入して付勢ばね６１を伸縮することにより平行移動可能に取り付け、その後、各ピン６３の先端に抜け止め部材６４を取り付けて抜け止めしてなる。
【００６３】
このようにすることにより、規制板６０により車輪幅の大小に左右されず、付勢ばね６１により弾性的に制限してキャスタ２０の旋回をやわらかく規制することができる。
【００６４】
図１２には、図１１に示すキャスタの旋回規制装置の変形例を示す。
図示するように、一対の規制板６０の平板６２に、キャスタ２０と接触してその旋回を規制する規制凸部６５をキャスタ２０の車輪の回転中心に向かうように向かい合わせに形成すると、車輪幅の大小に左右されずにキャスタ２０の旋回を規制しながら、キャスタ２０を一定方向に走行するときの車輪の回転負荷を少なくして、後処理装置２００などの移動を容易とすることができる。
【図面の簡単な説明】
【００６５】
【図１】後処理装置を取り付けたインクジェット式画像形成装置の要部概略構成図である。
【図２】その後処理装置の内部機構の全体概略構成図である。
【図３】その画像形成装置から後処理装置を矢示方向に引き離したときの状態図である。
【図４】その旋回自在なキャスタを取り付ける構造部材であるスタンドの足に、キャスタの旋回規制部材を取り付けた状態図である。
【図５】その旋回規制部材の斜視図である。
【図６】（Ａ）は図４の状態を足の長さ方向から、（Ｂ）はそれと直交する方向から見て示す図である。
【図７】他例である旋回規制部材を用いた、図６（Ａ）に示すと同様なキャスタの旋回規制装置を示す図である。
【図８】キャスタの旋回規制装置の他例を示す図である。
【図９】キャスタの旋回規制装置のさらに他例を示す図である。
【図１０】キャスタの旋回規制装置のまたさらに他例を示す図である。
【図１１】キャスタの旋回規制装置のまたさらに他例を示す図である。
【図１２】図１１に示すキャスタの旋回規制装置の変形例を示す図である。
【符号の説明】
【００６６】
２０    キャスタ
２７    スタンドの足（構造部材）
４０    旋回規制部材
４１    掛止部
４２    段付きねじ（係合部材）
４３    位置決め部
４４    規制部
４６    規制凸部
５０    旋回規制版
５１    掛止部
５２    規制部材支持部
５３    調整ねじ（規制部材）
５４    付勢ばね（規制部材）
５５    規制板（規制部材）
５６    調整ねじ（規制部材）
６０    規制板（規制部材）
６１    付勢ばね（規制部材）
６５    規制凸部
【図１】
2007216699.tif 000003
【図２】
2007216699.tif 000004
【図３】
2007216699.tif 000005
【図４】
2007216699.tif 000006
【図５】
2007216699.tif 000007
【図６】
2007216699.tif 000008
【図７】
2007216699.tif 000009
【図８】
2007216699.tif 000010
【図９】
2007216699.tif 000011
【図１０】
2007216699.tif 000012
【図１１】
2007216699.tif 000013
【図１２】
2007216699.tif 000014